(57)【要約】  表面層を有する基板にスタッドを固定する方法であって、基板に凹部が形成され、スタッドが基板に凹部において結合され、該スタッドの周囲の凹部が覆われる方法。【選択図】図２
2020536742.tif 000002
【特許請求の範囲】
【請求項１】
表面層を有する基板にスタッドを固定するための方法であって、
ａ）  端部側にスタッド直径を有するスタッドを提供するステップと、
ｂ）  内径及び外径を有する環状の被覆要素を提供するステップと、
ｃ）  表面直径を有する規定された表面領域において表面層を除去することによって、特に機械加工することによって、基板に凹部を形成するステップであって、前記表面直径は、前記スタッド直径よりも大きく且つ前記外径よりも小さい、基板に凹部を形成するステップと、
ｄ）  前記端部側、及び／又は、前記基板を前記凹部において液化するステップと、
ｅ）  前記端部側、又は、前記基板を前記凹部において凝固することを可能にするステップと、
ｆ）  凝固の間、前記端部側を前記基板と前記凹部において接触させるステップと、
ｇ）  前記被覆要素によって前記スタッドの周囲の前記凹部を被覆するステップと、を備える方法。
【請求項２】
前記端部側、及び／又は、前記被覆要素、及び／又は、前記規定された表面領域が円形である、請求項１記載の方法。
【請求項３】
前記凹部は盲穴である、請求項１又は２記載の方法。
【請求項４】
前記凹部はドリル加工工具によって穿孔される、請求項１から３までのいずれか１項記載の方法。
【請求項５】
前記凹部はセンタリング輪郭を有し、前記端部側は嵌合輪郭を有し、前記センタリング輪郭及び前記嵌合輪郭は、前記スタッドが前記凹部において所望の位置に配置されたときに互いに係合する、請求項１から４までのいずれか１項記載の方法。
【請求項６】
前記センタリング輪郭は凸状であり、前記嵌合輪郭は凹状である、請求項５記載の方法。
【請求項７】
前記センタリング輪郭は凹状であり、前記嵌合輪郭は凸状である、請求項５記載の方法。
【請求項８】
前記嵌合輪郭は、前記端部側の全体を含む、請求項６記載の方法。
【請求項９】
前記被覆要素は、シールリング内径及びシールリング外径を有するシールリングを備え、前記シールリング内径は前記スタッド直径以下であり、前記シールリング外径は前記表面直径より大きい、請求項１から８までのいずれか１項記載の方法。
【請求項１０】
前記被覆要素は、前記ステップｄ）、ｅ）及びｆ）が実施された後に、前記スタッドに固定される、請求項１から９までのいずれか１項記載の方法。
【請求項１１】
前記被覆要素は、前記スタッドに螺合されるか、又は差し込まれる、請求項１０記載の方法。
【請求項１２】
前記被覆要素は、前記ステップｄ）、ｅ）及びｆ）が実施される前に、前記スタッドに予め取り付けられる、請求項１から９までのいずれか１項記載の方法。
【請求項１３】
前記ステップｄ）、ｅ）及び／又はｆ）の間、前記被覆要素は、部分的又は完全に液化され、前記スタッド及び／又は前記基板と一体的に接合された結合部を形成する、請求項１２記載の方法。
【請求項１４】
前記被覆要素は、前記ステップｄ）、ｅ）及びｆ）が実施された後に変形される、請求項１２記載の方法。
【請求項１５】
前記被覆要素は、前記ステップｄ）、ｅ）及びｆ）が実施された後に、前記スタッドにおけるその位置が変更される、請求項１２記載の方法。
【発明の詳細な説明】
【技術分野】
【０００１】
本発明は、概して、基材にスタッドを固定するための装置、方法、そのようなスタッドに関する。
【背景技術】
【０００２】
多くの装置及び方法が知られており、当該装置及び方法によって、様々なスタッドが様々な用途において基材に固定される。例えば、スタッドを基材に接触させ、それに電流を流す。スタッドと基材との間を電流が流れるとすぐに、スタッドは基材から吊上げられ、アークが形成される。放出されるエネルギーにより、スタッド及び基材の材料が部分的に液化する。次いで、電流はオフにされ、この材料が冷却され凝固する間、スタッドは液化した材料に浸漬されている。次いで、スタッドは、基材に、一体的に接合される手段により結合される。
【０００３】
スタッドの材料及び基材の材料を十分に短時間で液化するために必要なエネルギーを供給するために、非常に高い強度の電流を発生させ、対応する定格の電気ケーブルを介してその電流をスタッドに供給する装置が知られている。液化した材料の酸化を回避するために、スタッドと基材との間の接触領域を不活性ガスで囲むことが知られている。
【０００４】
例えば、建設又は造船における用途では、様々なサイズのねじ山付きスタッドが使用され、このスタッドに物品が螺合され、当該物品を基材に締結する。固定方法に関する幾つかのパラメータ、例えば、電流の持続時間及び電力は、ユーザによって装置に設定される必要があり、使用されるスタッドに適応させる必要がある。最後に、使用者は、目視検査によって、スタッドと基材との間の結合の質を評価する。したがって、結合の品質は、使用者の経験及び能力にも依存する。
【０００５】
基材が例えばコーティング、防食又は汚れ層のような表面層を有する場合、この表面層は、スタッドを固定する前に、通常、広い面積にわたって接地される。スタッドを固定した後、接地領域を洗浄し、及び／又は新しいコーティング又は防食層を設けるが、これは時間がかかる。
【発明の概要】
【０００６】
本発明の目的は、基材へのスタッドの固定を容易にし、且つ／又は改善する装置及び／又は方法を提供することである。
【０００７】
この目的は、表面層を有する基板にスタッドを固定するための方法において達成される。端部側にスタッド直径を有するスタッドと、内径及び外径を有する環状の被覆要素が提供される。表面直径を有する規定された表面領域において表面層を除去することによって基板に凹部が形成される。表面直径はスタッド直径よりも大きく、外径よりも小さい。端部側及び／又は基板は液化され、凹部内で凝固し得る。端部側は、凝固中に凹部内で基板と接触する。スタッドの周りの凹部は、被覆要素によって覆われる。規定された表面領域の表面層は、機械加工によって除去されることが好ましい。表面層が除去された位置で基板が覆われるという事実によって、表面層の修理は、特定の状況下では必要とされないか、又は少なくとも単純化される。
【０００８】
１つの有利な実施形態は、端部側及び／又は被覆要素及び／又は規定された表面領域は円形であることを特徴とする。
【０００９】
さらなる有利な実施形態は、凹部は盲穴であることを特徴とする。
【００１０】
さらなる有利な実施形態は、好ましくは手動操作されるドリル加工工具によって、凹部が穿孔されることを特徴とする。
【００１１】
さらなる有利な実施形態は、凹部がセンタリング輪郭を有し、端部側が嵌合輪郭を有しており、スタッドが凹部内の所望の位置に配置されると、センタリング輪郭と嵌合輪郭が互いに係合することを特徴とする。好ましくは、センタリング輪郭は凸状であり、嵌合輪郭は凹状である。また、センタリング輪郭は凹状であり、嵌合輪郭は凸状である。特に好ましくは、嵌合輪郭は端部側の全体を含む。
【００１２】
さらなる有利な実施形態は、被覆要素は、シールリング内径及びシールリング外径を有するシールリングを備え、シールリング内径はスタッド直径以下であり、シールリング外径は表面直径より大きいことを特徴とする。次いで、シーリングリングは、スタッドに対して半径方向に、かつ、規定された表面領域の外側で基板に対して軸方向にシールし、その結果、スタッドと基板との間の結合部は周囲との関係で完全にシールされる。
【００１３】
さらなる有利な実施形態は、スタッドが基板に固定された後に、被覆要素がスタッドに固定されることを特徴とする。被覆要素は、好ましくは、スタッドに螺合されるか又は差し込まれる。別の実施形態は、スタッドが基板に固定される前に、被覆要素がスタッドに予め取り付けられることを特徴とする。
【００１４】
さらなる有利な実施形態は、スタッドの材料又は基板の材料の液化中及び／又は凝固中に、被覆要素が同様に部分的又は完全に液化され、スタッド及び／又は基板と一体的に接合された結合を形成することを特徴とする。
【００１５】
さらなる有利な実施形態は、スタッドが基板に固定された後に、被覆要素が変形されることを特徴とする。
【００１６】
さらなる有利な実施形態は、スタッドが基板に固定された後、被覆要素がスタッドにおけるその位置が変更されることを特徴とする。
【００１７】
以下、本発明は、図面を参照しつつ例示的な実施形態に基づいて詳細に説明される。
【図面の簡単な説明】
【００１８】
【図１】溶接装置を概略的に示す。
【図２】固定装置を断面図で示す。
【図３】別の固定装置を断面図で示す。
【図４】溶接スタッドを縦断面図で示す。
【図５】別の溶接スタッドを縦断面図で示す。
【図６】別の溶接スタッドを縦断面図で示す。
【発明を実施するための形態】
【００１９】
図１は、溶接スタッド２０を基板３０に溶接するための溶接装置１０を概略的に示す。溶接スタッド２０の材料及び基板３０の材料は、導電性、特に金属性である。この溶接装置１０は、押しボタンスイッチとして形成されたトリガースイッチ４１を有する溶接ガン４０と、溶接ユニット５０と、第１電気ケーブル６１と、接続端子６３を有する第２電気ケーブル６２と、例えば電力ケーブルとして形成された電気供給ケーブル６４と、電気通信ライン６５と、ガスボンベとして形成されたガス貯蔵器７０と、管状のガス供給ライン７１と、ガスホース７２とを備えている。
【００２０】
第１ケーブル６１は、溶接ユニット５０を介して溶接スタッド２０に電流を供給する役割を果たす。第２ケーブル６２は、接続端子６３が基板３０にクランプされているときに、基板３０を溶接ユニット５０に電気的に接続する役割を果たす。溶接スタッド２０が基板３０と接触すると回路が閉じ、これにより、例えば直流又は交流の形態の溶接電流を溶接ユニット５０によって溶接スタッド２０に印加することができる。この目的のために、溶接ガン４０は、図１には示されていない溶接電流接触要素を備える。溶接ユニット５０は、供給ケーブル６４からの電流を溶接電流に変換するための装置（図示せず）を含み、当該装置は、溶接電流を所望の電圧及び電流強度で供給するために、例えば電気コンデンサ、サイリスタ、絶縁ゲート電極又はパワーエレクトロニクスが提供する他の構成要素を備えたバイポーラトランジスタ、及びマイクロプロセッサを備えた関連する制御ユニットを含む。
【００２１】
ガス供給ライン７１及びガスホース７２は、溶接スタッド２０と基板３０との間の接触領域にガス貯蔵器７０からの不活性ガスを提供する役割を果たし、これにより、溶接作業中の周囲領域の酸素による酸化から当該接触領域を保護する。当該接触領域へのガスの流れを制御するために、ガス貯蔵器７０、ガス供給ライン７１、溶接ユニット５０、ガスホース７２又は溶接ガン４０は、図示されていないバルブ特に制御可能なバルブを備える。
【００２２】
溶接ユニット５０は、作動要素５２を有する入力装置５１と、視覚表示要素５４及び無線伝送ユニットを有する出力装置５３とを有する。入力装置５１は、溶接装置１０のユーザによって、例えば、電圧、電流強度、電力、溶接電流の持続時間、スタッドの位置及び速度などの、溶接装置１０によって実施される溶接プロセスのパラメータを入力する役割を果たす。出力装置５３は、例えば、溶接プロセスのパラメータに関する情報、溶接プロセスにおいて検出された排出物又は他の変数に関する情報、溶接作業の品質に関する情報、溶接作業を改善するための手段に関する情報、溶接スタッドにおいて検出された特性に関する情報、又は前述の変数から導出された情報、及び／又は溶接装置１０特に溶接ガン４０を洗浄及び／又はメンテナンスするための推奨又は指示などの情報を使用者に出力する役割を果たす。
【００２３】
通信ライン６５は、溶接ガン４０、特に溶接ガン４０の制御装置（図１には図示せず）と、溶接ユニット５０、特に制御ユニット及び／又は入力装置５１及び／又は出力装置５３との間で通信を行う役割を果たす。この通信によって、例えば、溶接作業のパラメータに関する情報の交換が行われ、これにより、例えば、溶接スタッド２０の移動に伴う溶接電流の同期を達成し、又はこれを容易にする。図示されていない例示的な実施形態では、溶接ガンと溶接ユニットとの間の通信は、無線を用いてワイヤレスに行われるか、又は溶接電流を伝達する第１電気ケーブルを用いて行われる。
【００２４】
溶接ガン４０は、開口部４６を有するハウジング４２と、トリガースイッチ４１を有し且つ当該ハウジング４２から突出するハンドル４３とを有する。溶接ガン４０はまた、溶接作業中に溶接スタッド２０が保持されるスタッドホルダ４４を有する。この目的のために、スタッドホルダは、例えば、２つ、３つ、４つ又はそれ以上の弾性アーム（詳細には示されていない）を備え、これらのアームの間に、溶接スタッド２０が挿入され、締め付け嵌め（clamping fit）によって保持される。溶接ガン４０はまた、溶接スタッド２０に溶接電流を印加するための溶接電流接触要素を有し、当該溶接電流接触要素は、例えば、１つ又はそれ以上の弾性アームの形態でスタッドホルダ４４に一体化される。
【００２５】
また、溶接ガン４０は、当該溶接ガン及び溶接ユニット５０の種々の構成要素及び装置を制御するための制御装置９９を有する。制御装置９９は、溶接作業における１つ又は複数のパラメータを制御するために設けられる。この目的のために、制御装置９９は、様々な電子部品、例えば、１つ又は複数のマイクロプロセッサ、１つ又は複数の一時的又は恒久的なデータメモリなどを備える。
【００２６】
また、溶接ガン４０は、第１リフティングマグネットとして形成されるスタッド吊上げ装置を有し、当該スタッド吊上げ装置が作動されると、スタッドホルダ４４は、開口部４６から後方に（図１において上方に）離れる力を受ける。信号ライン（図示せず）を介して、制御装置９９はスタッド吊上げ装置と通信し、当該スタッド吊上げ装置を制御、特に起動及び停止させる。
【００２７】
また、溶接ガン４０は、ばね要素又は第２リフティングマグネットとして形成されたスタッド浸漬装置を有し、当該スタッド浸漬装置が作動されると、スタッドホルダ４４は、開口部４６に向かって前方（図１では下方）に力を受ける。信号ライン（図示せず）を介して、制御装置９９は、スタッド浸漬装置と通信し、当該スタッド浸漬装置を制御、特に起動及び停止させる。スタッド浸漬装置がバネ要素の形態である場合、このバネ要素は、スタッド吊上装置によってスタッドホルダが後方に動かされるときに張力付与されることが好ましく、これにより、スタッド吊上装置が停止するとすぐに、バネ要素がスタッドホルダを前方に動かす。
【００２８】
溶接装置１０を用いた溶接工程では、まず基板３０及びスタッド２０が提供される。さらなるステップでは、例えば、次の溶接作業における所望のパラメータに関する情報が、入力装置を介してユーザによって入力される。更なる工程において、溶接スタッド２０と基板３０との間の溶接電流が、第１ケーブル６１及び第２ケーブル６２を用いて溶接ユニット５０によって溶接スタッド２０に印加される。さらなるステップでは、溶接電流の流れが溶接スタッド２０と基板３０との間に維持されたまま、溶接スタッド２０がスタッド吊上装置によって基板から吊上げられ、この場合、溶接スタッド２０と基板３０との間にアークが形成される。特に、アークによって発生した熱により、溶接スタッド２０の材料及び／又は基板３０の材料は部分的に液化される。さらなるステップでは、溶接スタッド２０は、スタッド浸漬装置によって、溶接スタッド２０の液化した材料又は基板３０の液化した材料に浸漬される。次に、溶接スタッド２０の液化した材料又は基板３０の液化した材料が凝固し、これにより、溶接スタッド２０が基板３０に、一体的に接合される手段により結合される。
【００２９】
図２は、溶接作業中の溶接スタッド１２０及び基板１３０を有する固定装置を示す。基板１３０は、例えば、特に腐食に対する保護層、酸化物層特に金属酸化物層、又は汚れ層を含む表面層１４０を有する。溶接スタッド１２０の端部側１２１において、溶接スタッドは、例えば８ｍｍのスタッド直径１２２を有し、当該端部側１２１は、凸状であり、薄い（変化の少ない）円錐側面の形態を有し、及び／又は円形状の断面を有する。表面直径１３２を有する規定の円形の表面領域１３１において、基板１３０は、盲穴深さ１３４を有する盲穴の形態の凹部１３３を有する。表面直径１３２は、例えば２０ｍｍであり、スタッド直径１２２よりも大きい。
【００３０】
凹部１３３は、その半径方向外縁領域において一定の深さを有し、この深さは表面層１４０の厚さに等しい。半径方向内側の中央領域において、凹部１３３は凹状の形態であり、同様に凹状のセンタリング輪郭１３５を有する。溶接スタッド１２０の円錐形の端部側１２１の先端は、凸状の嵌合輪郭１２５を形成しており、その結果、溶接スタッド１２０が凹部１３３内の所望の位置に配置されると、センタリング輪郭１３５と嵌合輪郭１２５とが互いに係合する。図示されていない例示的な実施形態では、センタリング輪郭は凸状であり、嵌合輪郭は凹状である。凹部１３３における凹状の構成は、凹部１３３に向かう溶接スタッドの方向を感じることによって、所望の溶接点を探しやすくする。
【００３１】
凹部１３３を形成するために、表面層１４０は、ドリル加工工具によってドリル加工によって機械加工され、規定の表面領域１３１内で除去される。ドリル加工工具は、好ましくは、周縁段付き部を有する段付きドリルであって、段付きドリルのドリル先端部からの、当該周縁段付き部の軸方向距離は、所望の盲穴深さ１３４に等しい。
【００３２】
溶接スタッド１２０は、周縁で窪んだ形態の支持手段１５０を有しており、当該支持手段１５０は、溶接スタッド１２０が基板１３０に固定された後、被覆要素が溶接スタッド１２０に固定されるとき、基板１３０に対して被覆要素（図示せず）を支持する。被覆要素は、例えば、図４乃至図６に示される被覆要素の１つとして設計されており、当該被覆要素は、例えば３０ｍｍの外径を有し、これは表面直径１３２よりも大きく、これにより、溶接スタッド１２０と基板１３０との結合部、及び、溶接スタッド１２０の周囲の凹部１３３が被覆要素によって完全に覆われる。被覆要素は、溶接スタッド１２０に螺合される。
【００３３】
図３は、溶接作業中の別の例示的な実施形態における、溶接スタッド２２０及び基板２３０の固定装置を示す。基板２３０は、例えば、特に腐食に対する保護層、酸化物層特に金属酸化物層、又は汚れ層を含む表面層２４０を有する。溶接スタッド２２０の端部側２２１において、溶接スタッドは、例えば６ｍｍのスタッド直径２２２を有し、端部側２２１は平面であり、円形の断面を有する。表面直径２３２を有する規定された円形の表面領域２３１において、基板２３０は、盲穴深さ２３４を有する盲穴の形態の凹部２３３を有する。表面直径２３２は、例えば１８ｍｍであり、スタッド直径２２２よりも大きい。
【００３４】
凹部２３３は、その半径方向外縁領域において一定の深さを有し、この深さは、表面層２４０の厚さに等しい。半径方向内側の中央領域において、凹部２３３は凹状の形態であり、同様に凹状のセンタリング輪郭２３５を有し、当該凹部２３３の直径はスタッド直径２２２と実質的に同じ大きさである。その結果、溶接スタッド２２０が凹部２３３内の所望の位置に配置されると、センタリング輪郭２３５と端部側２２１が互いに係合する。これにより、凹部２３３に向かう溶接スタッドの方向を感じることによって、所望の溶接点を探しやすくなる。
【００３５】
溶接スタッド２２０は、周縁で窪んだ形態の支持手段２５０を有しており、当該支持手段２５０は、溶接スタッド２２０が基板２３０に固定された後、被覆要素が溶接スタッド２２０に固定されるとき、基板２３０に対して被覆要素（図示せず）を支持する。被覆要素は、例えば２５ｍｍの外径を有し、これは表面直径２３２よりも大きく、これにより、溶接スタッド２２０と基板２３０との間の結合部、及び、溶接スタッド２２０の周囲の凹部２３３が被覆要素によって完全に覆われる。被覆要素は、溶接スタッド２２０に差し込まれる。
【００３６】
図４は、被覆要素３００を有する溶接スタッド３２０を縦断面で示す。溶接スタッド３２０は、凹状の端部側３２１を有し、当該端部側３２１は、薄い（変化の少ない）円錐側面の形態を有し、かつ円形の断面を有する。さらに、溶接スタッドは、追加要素を溶接スタッド３２０に取り付けるための所定のねじ径を有する雄ねじの形態の取付手段３９０を有する。さらに、溶接スタッド３２０は、周辺で窪んだ形態の支持手段３５０を有し、当該支持手段３５０は、溶接スタッド３２０が基板に固定されるときに、基板（図示せず）に対して被覆要素３００を支持する。
【００３７】
被覆要素３００は、シールリング内径３６１及びシールリング外径を有する円形のシールリング３６０と、同様に円形環状のカバーディスク３７０と備える。シールリング内径３６１は、取付手段３９０のねじ径よりも大きく、これにより、シールリング３６０は取付手段３９０の全体に亘って及び取付手段３９０を越えて移動することができる。被覆要素３００特にカバーディスク３７０は、嵌合支持手段３８０を有し、当該嵌合支持手段３８０は、被覆要素３００を基板に対して支持するために、溶接スタッド３２０の支持手段３５０と係合する。嵌合支持手段３８０は、円周に沿って配置され、カバーディスク３７０から半径方向内側に突出する１つ又は複数の突起部を備える。
【００３８】
溶接スタッド３２０を基板に固定する前に、被覆要素３００は既に溶接スタッド３２０に予め取り付けられており、この場合、シールリング３６０はシールリングリング内径３６１で溶接スタッド３２０に当接する。図示されていない例示的な実施形態では、被覆要素は、実際には固定前に溶接スタッドに予め取り付けられるが、例えば、締結方向に移動させることによって、固定後にその最終位置にもたらされる。溶接スタッド３２０を基板に固定した後、シールリング３６０は、溶接スタッド３２０に対して半径方向に、かつ基板に対して軸方向にシールし、その結果、溶接スタッド３２０と基板との間の結合部は周囲に対して完全にシールされる。
【００３９】
基板に対する軸方向のシールを改善するために、シールリング３６０は、スタッドが基板に固定されると変形する２つの周辺軸方向突起部３６２を有する。追加的に又は代替的に、シールリング３６０の材料は、溶接スタッド３２０の材料又は基板の材料の液化中及び／又は凝固中に同様に部分的に又は完全に液化され、凝固時に、溶接スタッド３２０及び／又はカバーディスク３７０及び／又は基板と一体的に接合された結合部を形成する。
【００４０】
図５は、被覆要素４００を有する溶接スタッド４２０を縦断面で示す。溶接スタッド４２０は、薄い（変化の少ない）円錐側面の形態で、かつ円形断面を有する凹状の端部側４２１を有する。さらに、溶接スタッドは、追加要素を溶接スタッド４２０に取り付けるための所定のねじ径を有する雄ねじの形態の取付手段４９０を有する。さらに、溶接スタッド４２０は、溶接スタッド４２０が基板に固定されるときに、基板（図示せず）に対して被覆要素４００を支持する周辺で窪んだ形態の支持手段４５０を有する。
【００４１】
被覆要素４００は、シールリング内径４６１及びシールリング外形を有する円形のシールリング４６０と、カバーディスク４７０とを含む。被覆要素４００、特にカバーディスク４７０は、被覆要素４００から半径方向内方に突出する周辺突起の形態の嵌合支持手段４８０を有し、当該嵌合支持手段４８０は、被覆要素４００を基板に対して支持するために、溶接スタッド４２０の支持手段４５０と係合する。
【００４２】
溶接スタッド４２０を基板に固定する前に、被覆要素４００は既に溶接スタッド４２０に予め取り付けられており、この場合、シールリング４６０はシールリングリング内径４６１で溶接スタッド４２０に当接する。溶接スタッド４２０を基板に固定した後、シールリング４６０は、溶接スタッド４２０に対して半径方向に、かつ基板に対して軸方向にシールし、その結果、溶接スタッド４２０と基板との間の結合部は周囲に対して完全にシールされる。
【００４３】
基板に対する軸方向のシールを改善するために、シールリング４６０は、スタッドが基板に固定されると変形する２つの周辺軸方向突起部４６２を有する。追加的に又は代替的に、シールリング４６０の材料は、溶接スタッド４２０の材料又は基板の材料の液化中及び／又は凝固中に同様に部分的に又は完全に液化され、凝固時に、溶接スタッド４２０及び／又はカバーディスク４７０及び／又は基板と一体的に接着された接続を形成する。
【００４４】
図６は、被覆要素５００を有する溶接スタッド５２０を縦断面で示す。溶接スタッド５２０は、円形断面を有する平坦な端部側５２１を有する。さらに、溶接スタッドは、追加要素を溶接スタッド５２０に取り付けるためのねじ径を有する雄ねじの形態の取付手段５９０を有する。さらに、溶接スタッド５２０は、溶接スタッド５２０が基板に固定されるときに、基板（図示せず）に対して被覆要素５００を支持する周辺で窪んだ形態の支持手段５５０を有する。被覆要素５００は、円形のシールリング５６０と、同様に円形の環状のカバーディスク５７０とを有している。
【００４５】
被覆要素５００は、図６の左側に図示された位置で、溶接スタッド５２０に既に取り付けられており、その後、溶接スタッド５２０は基板に固定される。固定後、被覆要素５００は図６の右側に図示されている最終位置に、例えば、締結方向に折り畳まれたり、他の何らかの方法で変形されたりすることによって、もたらされる。この変形は、例えば、特に工具の助けを借りて、又は特に熱変形の結果として固定作業中に既に、又はこの目的のために溶接ガンに設けられた装置によって、ユーザによって達成される。
【００４６】
１つ又は複数の例示的な実施形態では、シールリングはエラストマーから製造され、カバーディスクは金属又はセラミックから製造される。
【００４７】
本発明は、第１のアイテムを第２のアイテムに固定するための装置及びそのような装置の製造方法の例に基づいて説明されてきた。記載された実施形態の特徴は、単一の固定装置又は単一の製造方法の範囲内で、所望に応じて互いに組み合わせることもできる。本発明による装置及び本発明による方法は他の目的にも適していることが指摘される。
【図１】
2020536742.tif 000003
【図２】
2020536742.tif 000004
【図３】
2020536742.tif 000005
【図４】
2020536742.tif 000006
【図５】
2020536742.tif 000007
【図６】
2020536742.tif 000008
【国際調査報告】
2020536742.tif 000009
2020536742.tif 000010
2020536742.tif 000011
2020536742.tif 000012
2020536742.tif 000013